(57)【特許請求の範囲】
【請求項１】
冷媒を圧縮する圧縮機（１０１）と冷媒を凝縮し供給空気に放熱する凝縮器（１０２）と冷媒を膨張させて減圧する減圧機構（１０３）と冷媒を蒸発し供給空気から吸熱する蒸発器（１０４）とを配管接続した蒸気圧縮式のヒートポンプを有し、前記蒸発器（１０４）において供給空気から水分を凝縮することにより除湿する除湿装置であって、冷媒が前記蒸発器（１０４）から流出し前記圧縮機（１０１）に至るまでの間に所定の過熱度を付与され、冷媒が蒸発器（１０４）から流出するまでは過熱度を付与しない除湿装置であって、駆動手段（１６）によって回転し吸湿領域（１３）では供給空気から吸湿するとともに放湿領域（１４）では加熱されて水分を放出するデシカントローター（１５）を備え、室内空気を凝縮器（１０２）、放湿領域（１４）、蒸発器（１０４）、吸湿領域（１３）の順に供給し、除湿運転を行う除湿装置。
【請求項２】
蒸発器（１０４）から流出する低温冷媒と圧縮機（１０１）から吐出されて減圧機構（１０３）に至るまでの高温冷媒とを熱交換する冷媒熱交換手段（２）を備え、前記高温冷媒の過冷却度を増加させることを特徴とする請求項１記載の除湿装置。
【請求項３】
蒸発器（１０４）から流出する低温冷媒と圧縮機（１０１）から吐出されて凝縮器（１０２）に至るまでの高温冷媒とを熱交換する冷媒熱交換手段（２）を備え、前記高温冷媒の過冷却度を増加させることを特徴とする請求項２記載の除湿装置。
【請求項４】
蒸発器（１０４）から流出する低温冷媒と凝縮器（１０２）から流出し減圧機構（１０３）に至るまでの高温冷媒とを熱交換する冷媒熱交換手段（２）を備え、前記高温冷媒の過冷却度を増加させることを特徴とする請求項２記載の除湿装置。
【請求項５】
冷媒熱交換手段（２）を、高温高圧冷媒流路（１０）および低温低圧冷媒流路（９）を有する二重管熱交換器（８）により構成したことを特徴とする請求項２乃至４のいずれかに記載の除湿装置。
【請求項６】
高温高圧冷媒流路（１０）および低温低圧冷媒流路（９）を鉛直に構成することを特徴とする請求項５記載の除湿装置。
【請求項７】
高温高圧冷媒流路（１０）を下方流とすることを特徴とする請求項６記載の除湿装置。
【請求項８】
二重管熱交換器（８）を外部配管（７）の内部に内部配管（６）を設置した構成とし、前記内部配管（６）の内部を高温高圧冷媒流路（１０）とし、前記内部配管（７）と前記外部配管（７）の間を低温低圧冷媒流路（９）とすることを特徴とする請求項５乃至７のいずれかに記載の除湿装置。
【請求項９】
二重管熱交換器（８）を外部配管（７）の内部に内部配管（６）を設置した構成とし、前記内部配管（６）の内部を低温低圧冷媒流路（９）とし、前記内部配管（６）と前記外部配管（７）の間を高温高圧冷媒流路（１０）とすることを特徴とする請求項５乃至７のいずれかに記載の除湿装置。
【請求項１０】
高温高圧冷媒流路（１０）の配管と低温低圧冷媒流路（９）の配管を接合することにより冷媒熱交換手段（２）を構成することを特徴とする請求項２乃至４のいずれかに記載の除湿装置。
【請求項１１】
高温高圧冷媒流路（１０）の配管と低温低圧冷媒流路（９）の配管を接合する接合部（１１）は溶接（ロー付け）されていることを特徴とする請求項１０記載の除湿装置。
【請求項１２】
高温高圧冷媒流路（１０）の配管と低温低圧冷媒流路（９）の配管を押圧により接合することを特徴とする請求項１０記載の除湿装置。
【請求項１３】
高温高圧冷媒流路（１０）の配管と低温低圧冷媒流路（９）の配管を接合する接合部（１１）にはそれぞれ平面部（１２）を設けることを特徴とする請求項１１または１２記載の除湿装置。
【請求項１４】
高温高圧冷媒流路（１０）と低温低圧冷媒流路（９）を対向させることを特徴とする請求項２乃至１３のいずれかに記載の除湿装置。
【発明の詳細な説明】
【技術分野】
【０００１】
本発明は、圧縮機、凝縮器、減圧機構、蒸発器等から構成されるヒートポンプにより、除湿運転を行う除湿装置に関する。
【背景技術】
【０００２】
従来の除湿装置としては、図９に図示されたものが知られている。以下、その除湿装置について図９、および図１０を参照しながら説明する。
【０００３】
図９に示すように、除湿装置は、冷媒を圧縮する圧縮機１０１と冷媒を空気との熱交換により凝縮する凝縮器１０２と冷媒を膨張させ減圧させる減圧機構１０３と冷媒を空気との熱交換により蒸発させる蒸発器１０４と除湿対象空気１０５を送風する送風手段１０６から構成され、冷媒を圧縮機１０１、凝縮器１０２、減圧機構１０３、蒸発器１０４、圧縮機１０１の順に循環させるとともに、送風手段１０６により除湿対象空気１０５を蒸発器１０４、凝縮器１０２の順に送風することにより除湿するものである。この時、蒸発器１０４にて除湿対象空気１０５から水分を凝縮し、除湿装置下部に設置された貯水タンク１０７に貯水される。この場合の冷媒の状態変化を図１０のモリエル線図において説明する。なお、図１０のモリエル線図における記号Ａ〜Ｄは、図９に示す記号Ａ〜Ｄにおける冷媒の状態を示したものである。圧縮機１０１により圧縮された高圧高温のガス冷媒（点Ａ）は凝縮器１０２に流入し、送風手段１０６により誘引された除湿対象空気１０５により冷却され液化し、さらに過冷却度を付与されながら減圧機構１０３に流入する（点Ｂ）。
【０００４】
減圧機構１０３では高温液冷媒は等エンタルピー減圧がなされ減圧膨張され、一部ガス交じりの二相流冷媒（点Ｃ）となり蒸発器１０４に流入する。蒸発器１０４では二相流冷媒は、送風手段１０６により誘引された除湿対象空気１０５と熱交換しながら蒸発しガス冷媒となり、さらに所定の過熱度を付与されて流出し（点Ｄ）、圧縮機１０１に流入する。この時、除湿対象空気１０５は蒸発器１０４表面で空気の露点以下に冷却され、水分を凝縮することにより除湿がなされる。ここで、圧縮機１０１に流入する冷媒に付与される過熱度は、圧縮機１０１が液冷媒を吸込む液戻りを防止するために必要であり、冷媒が蒸発器１０４を通過する間に除湿対象空気１０５との熱交換により付与されている。また、減圧機構１０３に流入する冷媒に付与される過冷却度は、冷却効果の増大やフラッシュガス抑制の効果があり、所定量付与されている。
【先行技術文献】
【特許文献】
【０００５】
【特許文献１】特開平０６−３３１１６７号公報
【発明の概要】
【発明が解決しようとする課題】
【０００６】
以上の例の除湿装置では、冷媒が蒸発器１０４を通過している間に過熱度を付与することになり、蒸発器１０４の冷媒流路の途中まで二相流だった冷媒は途中からガス冷媒となり温度が上昇する。このため蒸発器１０４の冷媒流路の後流側では、空気側の表面温度も上昇し、除湿対象空気１０５の水分凝縮に利用できない部分が存在することになる。そして除湿性能が低下する、あるいは、除湿能力を確保するために蒸発器１０４を大きくする必要があるという課題を有していた。
【０００７】
また、冷却効果の増大やフラッシュガス抑制のために過冷却度を増加するには、凝縮器１０２での冷却を増加させる必要があり、凝縮器１０２を大きくする、あるいは、送風量を増やすために送風手段１０６を大型化する必要があり装置が大型化する、という課題を有していた。
【０００８】
また、蒸発器１０４から圧縮機１０１に至る配管部分は低温冷媒が通過する部分であり、空気条件によっては配管外壁に水分が結露する可能性があり、その結露水が装置外へ漏水する恐れがある課題や漏水を防ぐために配管を断熱するなどコストがかかるという課題があった。
【０００９】
本発明は上記の課題を解決するものであり、過熱度の付与のために、一部水分凝縮に利用できなかった蒸発器１０４の全体を除湿対象空気１０５からの水分凝縮に利用するにより除湿能力を向上することを目的とし、さらに、過冷却度を増加させ冷却効率を向上することにより除湿能力を向上することを目的とし、蒸発器１０４から圧縮機１０１に至る配管に結露水が付着するのを抑制し、漏水の危険性を回避する除湿装置を提供することを目的としている。
【課題を解決するための手段】
【００１０】
上記目的を達成するために本発明が講じた第１の課題解決手段は、冷媒を圧縮する圧縮機（１０１）と冷媒を凝縮し供給空気に放熱する凝縮器（１０２）と冷媒を膨張させて減圧する減圧機構（１０３）と冷媒を蒸発し供給空気から吸熱する蒸発器（１０４）とを配管接続した蒸気圧縮式のヒートポンプを有し、前記蒸発器（１０４）において供給空気から水分を凝縮することにより除湿する除湿装置であって、冷媒が前記蒸発器（１０４）から流出し前記圧縮機（１０１）に至るまでの間に所定の過熱度を付与され、冷媒が蒸発器（１０４）から流出するまでは過熱度を付与しない除湿装置であって、駆動手段（１６）によって回転し吸湿領域（１３）では供給空気から吸湿するとともに放湿領域（１４）では加熱されて水分を放出するデシカントローター（１５）を備え、室内空気を凝縮器（１０２）、放湿領域（１４）、蒸発器（１０４）、吸湿領域（１３）の順に供給し、除湿運転を行うものである。
【００１１】
そして、上記第１の課題解決手段による作用は、ヒートポンプを効率よく動作させるために圧縮機流入までに確保すべき過熱度を冷媒が蒸発器を流出してから圧縮機に流入するまでの間に付与することにより、蒸発器内部の最後流で二相流から気相に相変化し冷媒温度が上昇する部分を極力少なくすることになり、通常であれば蒸発器温度が高くなって水分を凝縮させるのに利用できなかった部分も水分凝縮に利用できるようにするものである。これにより、除湿能力が向上できる。
【００１２】
さらにまた、冷媒が蒸発器から流出するまでは過熱度を付与しないことにより、ヒートポンプを効率よく動作させるために圧縮機流入までに確保すべき過熱度を冷媒が蒸発器を通過している間に付与しないこととなり、確実に蒸発器全体を供給空気の水分凝縮に利用できるようにするものである。これにより除湿能力向上できる。
【００１３】
さらにまた、駆動手段によって回転し吸湿領域では供給空気から吸湿するとともに放湿領域では加熱されて水分を放出するデシカントローターを備え、室内空気を凝縮器、放湿領域、蒸発器、吸湿領域の順に供給し、除湿運転を行うことにより、再生領域から放出される高温高湿空気を全面が低温となり水分凝縮に活用できるようなった蒸発器に供給することができ水分凝縮効率が向上するものである。これにより、除湿効率の高い除湿装置を提供できる。
【００１４】
また、第２の課題解決手段は、上記第１または第２の課題解決手段において、蒸発器から流出する低温冷媒と圧縮機から吐出されて減圧機構に至るまでの高温冷媒とを熱交換する冷媒熱交換手段を備え、前記高温冷媒の過冷却度を増加させるものである。これにより、ヒートポンプの冷却能力が向上し除湿能力が向上できる。
【００１５】
そして、第２の課題解決手段による作用は、蒸発器から流出する低温冷媒と圧縮機から吐出されて減圧機構に至るまでの高温冷媒とを熱交換する冷媒熱交換手段を備えることにより、装置内の高温部分と熱交換することになり温度差を確保し、効率よく過熱度を付与できるとともに、ヒートポンプを効率よく動作させるために冷媒が減圧機構流入までに確保すべき過冷却度も低温冷媒との熱交換により同時に増加させるものである。これにより、過熱度および過冷却度を蒸発器、凝縮器にて確保する必要がなくなり、その分ともに小型化できる。
【００１６】
また、第３の課題解決手段は、上記第３の課題解決手段において、蒸発器から流出する低温冷媒と圧縮機から吐出されて凝縮器に至るまでの高温冷媒とを熱交換する冷媒熱交換手段を備え、前記高温冷媒の過冷却度を増加させるものである。
【００１７】
そして、第３の課題解決手段による作用は、蒸発器から流出する低温冷媒と圧縮機から吐出されて凝縮器に至るまでの高温冷媒とを熱交換する冷媒熱交換手段を備えることにより、ヒートポンプを流れる冷媒の中で一番高温となる圧縮機吐出直後の冷媒と熱交換することになり温度差を確保し、効率よく過熱度を付与できるとともに、ヒートポンプを効率よく動作させるために冷媒が減圧機構流入までに確保すべき過冷却度も上記温度差が大きいことによる熱交換効率増大により同様に増加させるものである。これにより、ヒートポンプが効率よく動作し、蒸発器での吸着量が増え除湿量が増えることになり効率の良い除湿装置を提供できる。
【００１８】
また、第４の課題解決手段は、上記第３の課題解決手段において、蒸発器から流出する低温冷媒と凝縮器から流出し減圧機構に至るまでの高温冷媒とを熱交換する冷媒熱交換手段を備え、前記高温冷媒の過冷却度を増加させるものである。
【００１９】
そして、第４の課題解決手段による作用は、蒸発器から流出する低温冷媒と凝縮器から流出し減圧機構に至るまでの高温冷媒とを熱交換する冷媒熱交換手段を備えることにより、装置内の高温部分と熱交換することになり温度差を確保し、効率よく過熱度を付与できるとともに、凝縮器では冷媒をまず空気で冷却した後流側で空気よりも低温の低温冷媒により冷却することになり、より大きな過冷却度を付与するものである。これにより、ヒートポンプが効率よく動作し、蒸発器での吸着量が増え除湿量が増えることになり効率の良い除湿装置を提供できる。
【００２０】
また、第５の課題解決手段は、上記第３乃至第５のいずれかのの課題解決手段において、冷媒熱交換手段を、高温高圧冷媒流路および低温低圧冷媒流路を有する二重管熱交換器により構成したものである。
【００２１】
そして、第５の課題解決手段による作用は、冷媒熱交換手段を、高温高圧冷媒流路および低温低圧冷媒流路を有する二重管熱交換器により構成することにより、二重管の内部配管内を流れる冷媒と内部配管と外部配管の間を流れる冷媒が、内部配管の壁面を介して熱交換するものである。これにより、二重管の内部配管内を流れる冷媒と内部配管と外部配管の間を流れる冷媒が、内部配管の壁面を介して熱交換するので熱交換の高効率化、小型化が図れ、安価で除湿効率の良い除湿装置を提供できる。
【００２２】
また、第６の課題解決手段は、上記第６の課題解決手段において、高温高圧冷媒流路および低温低圧冷媒流路を鉛直に構成するものである。
【００２３】
そして、第６の課題解決手段による作用は、高温高圧冷媒流路および低温低圧冷媒流路を鉛直に構成することにより、ガス冷媒と液冷媒の二相流となっていると想定される冷媒の管内でのガス冷媒および液冷媒の滞留や偏りを抑制するものである。これにより、ヒートポンプの高効率化が図れ、除湿能力の高い除湿装置を提供できる。
【００２４】
また、第７の課題解決手段は、上記第７の課題解決手段において、高温高圧冷媒流路を下方流とするものである。
【００２５】
そして、第７の課題解決手段による作用は、高温高圧冷媒流路を下方流とすることにより、高温高圧冷媒中の液部分を下方に溜め込みながら流れるので、冷媒熱交換手段から高温冷媒が流出する際には液冷媒となって流出することになり、その後段に続く減圧機構に確実に液冷媒を供給するものである。これにより、減圧機構にガス冷媒が混入することによる冷媒の不安定が抑制され、ヒートポンプの高効率化が図れ、除湿能力の高い除湿装置を提供できる。
【００２６】
また、第８の課題解決手段は、上記第６乃至第８のいずれかの課題解決手段において、二重管熱交換器を外部配管の内部に内部配管を設置した構成とし、前記内部配管の内部を高温高圧冷媒流路とし、前記内部配管と前記外部配管の間を低温低圧冷媒流路とするものである。
【００２７】
そして、第８の課題解決手段による作用は、二重管熱交換器を外部配管の内部に内部配管を設置した構成とし、前記内部配管の内部を高温高圧冷媒流路とし、前記内部配管と前記外部配管の間を低温低圧冷媒流路とすることにより、低温冷媒は高温冷媒および周囲の空気の両方から吸熱することができ必要な過熱度をより小型の冷媒熱交換手段で付与するものである。これにより、装置の小型化が図られ、安価でコンパクトで効率の良い除湿装置を提供できる。
【００２８】
また、第９の課題解決手段は、上記第６乃至第８のいずれかの課題解決手段において、二重管熱交換器を外部配管の内部に内部配管を設置した構成とし、前記内部配管の内部を低温低圧冷媒流路とし、前記内部配管と前記外部配管の間を高温高圧冷媒流路とするものである。
【００２９】
そして、第９の課題解決手段による作用は、二重管熱交換器を外部配管の内部に内部配管を設置した構成とし、内部配管の内部を低温低圧冷媒流路とし、内部配管と外部配管の間を高温高圧冷媒流路とすることにより、高温冷媒は低温冷媒および周囲の空気の両方に放熱することができ過冷却度を増加できるとともに、低温冷媒が周囲を高温冷媒により囲まれているので低温冷媒流路の周りに水分の結露が生じないものである。これにより、結露水の装置外への漏洩などの不具合を生じることがなく、信頼性の高い除湿装置を提供できる。
【００３０】
また、第１０の課題解決手段は、上記第３乃至第５のいずれかの課題解決手段において、高温高圧冷媒流路の配管と低温低圧流路の配管を接合することにより冷媒熱交換手段を構成するものである。
【００３１】
そして、第１０の課題解決手段による作用は、高温高圧冷媒流路の配管と低温低圧冷媒流路の配管を接合することにより冷媒熱交換手段を構成することにより、高温冷媒と低温冷媒が配管の接合部を介して熱交換をするものである。これにより、簡単な構成で冷媒の熱交換が可能となり、効率の良い除湿装置を安価で提供できる。
【００３２】
また、第１１の課題解決手段は、上記第１１の課題解決手段において、高温高圧冷媒流路の配管と低温低圧冷媒流路の配管を接合する接合部は溶接（ロー付け）されているものである。
【００３３】
そして、第１１の課題解決手段による作用は、高温高圧冷媒流路の配管と低温低圧冷媒流路の配管を接合する接合部は溶接（ロー付け）されていることにより、接合部での配管同士の密着度を高め、熱交換に対する接触熱抵抗を低減させ熱交換効率を向上するものである。これにより、ヒートポンプをより効率よく動作させ除湿能力を高めることができ除湿性能の高い除湿装置を提供できる。
【００３４】
また、第１２の課題解決手段は、上記第１１の課題解決手段において、高温高圧冷媒流路の配管と低温低圧流路の配管を押圧により接合するものである。
【００３５】
そして、第１２の課題解決手段による作用は、高温高圧冷媒流路の配管と低温低圧冷媒流路の配管を押圧により接合することにより、押圧が接合部での配管同士の密着度を高め、熱交換に対する接触熱抵抗を低減させ熱交換効率を向上するとともに、簡単な構成で製作できるものである。これにより安価な構成で冷媒熱交換を実現でき、ヒートポンプの高効率化が図られ、除湿能力の高い除湿装置を提供できる。
【００３６】
また、第１３の課題解決手段は、上記第１２または第１３の課題解決手段において、高温高圧冷媒流路の配管と低温低圧流路の配管を接合する接合部にはそれぞれ平面部を設けるものである。
【００３７】
そして、第１３の課題解決手段による作用は、高温高圧冷媒流路の配管と低温低圧冷媒流路の配管を接合する接合部にはそれぞれ平面部を設けることにより、接合部の面積すなわち伝熱面積を拡大し、熱交換効率を高めるとともに、製作する際に位置決めを簡単にできるようにするものである。これにより、安価な構成で冷媒熱交換を実現でき、ヒートポンプの高効率化が図られ、除湿能力の高い除湿装置を提供できる。
【００３８】
また、第１４の課題解決手段は、上記第３乃至第１４のいずれかの課題解決手段において、高温高圧冷媒流路と低温低圧冷媒流路を対向させるものである。
【００３９】
そして、第１４の課題解決手段による作用は、高温高圧冷媒流路と低温低圧冷媒流路を対向させることにより、所謂対向流の熱交換器とすることができ、理想状態ではそれぞれの冷媒の入口温度まで他方の冷媒は熱交換を行うことができ、熱交換効率を高めるものである。これにより、ヒートポンプの高効率化がより図られ、除湿能力の高い除湿装置を提供できる。
【発明の効果】
【００４０】
本願発明は、かかる構成とすることにより以下に記載されるような効果を奏するものである。すなわち、過熱度の付与のために、一部水分凝縮に利用できなかった蒸発器の全体を除湿対象空気からの水分凝縮に利用するにより除湿能力を向上することができ、さらに、過冷却度を増加させ冷却効率を向上することにより除湿能力を向上することができ、蒸発器から圧縮機に至る配管に結露水が付着するのを抑制し、漏水の危険性を回避することができる除湿装置を提供できるという効果を奏する。
【００４１】
そして、本発明の請求項１記載の除湿機は、ヒートポンプを効率よく動作させるために圧縮機流入までに確保すべき過熱度を冷媒が蒸発器を流出してから圧縮機に流入するまでの間に付与することにより、蒸発器内部の最後流で二相流から気相に相変化し冷媒温度が上昇する部分を極力少なくすることになり、通常であれば蒸発器温度が高くなって水分を凝縮させるのに利用できなかった部分も水分凝縮に利用できるようにするので、水分凝縮量が増え、除湿量が増えることになり効率の良い除湿装置を供給できるという効果を奏する。
【００４２】
さらにまた、ヒートポンプを効率よく動作させるために圧縮機流入までに確保すべき過熱度を冷媒が蒸発器を通過している間に付与しないことにより、確実に蒸発器全体を供給空気の水分凝縮に利用できるようにするので水分凝縮量が増加し除湿量が増えることになり効率の良い除湿装置を提供できるという効果を奏する。
【００４３】
さらにまた、駆動手段によって回転し吸湿領域では供給空気から吸湿するとともに放湿領域では加熱されて水分を放出するデシカントローターを備え、室内空気を凝縮器、放湿領域、蒸発器、吸湿領域の順に供給し、除湿運転を行う除湿装置に冷媒熱交換手段を備えることにより、放湿領域から放出される高温高湿空気を全面が低温となり水分凝縮に活用できるようなった蒸発器に供給することができ水分凝縮効率が向上するので、除湿効率の高い除湿装置を提供できるという効果を奏する。
【００４４】
また、本発明の請求項２記載の除湿機は、蒸発器から流出する低温冷媒と圧縮機から吐出されて減圧機構に至るまでの高温冷媒とを熱交換する冷媒熱交換手段を備えることにより、装置内の高温部分と熱交換することになり温度差を確保し、効率よく過熱度を増加できるので、冷媒熱交換手段の小型化が図れ安価な除湿装置を提供できるとともに、ヒートポンプを効率よく動作させるために冷媒が減圧機構流入までに確保すべき過冷却度も低温冷媒との熱交換により同時に増加させるので、ヒートポンプが効率よく動作し、蒸発器での吸着量が増え除湿量が増えることになり効率の良い除湿装置を提供できるという効果を奏する。
【００４５】
また、本発明の請求項３記載の除湿機は、蒸発器から流出する低温冷媒と圧縮機から吐出されて凝縮器に至るまでの高温冷媒とを熱交換する冷媒熱交換手段を備えることにより、ヒートポンプを流れる冷媒の中で一番高温となる圧縮機吐出直後の冷媒と熱交換することになり温度差を確保し、効率よく過熱度を付与できるので、冷媒熱交換手段の小型化が図れ安価な除湿装置を提供できるとともに、ヒートポンプを効率よく動作させるために冷媒が減圧機構流入までに確保すべき過冷却度も上記温度差が大きいことによる熱交換効率増大により同様に増加させるので、ヒートポンプが効率よく動作し、蒸発器での吸着量が増え除湿量が増えることになり効率の良い除湿装置を提供できるという効果を奏する。
【００４６】
また、本発明の請求項４記載の除湿機は、蒸発器から流出する低温冷媒と凝縮器から流出し減圧機構に至るまでの高温冷媒とを熱交換する冷媒熱交換手段を備えることにより、装置内の高温部分と熱交換することになり温度差を確保し、効率よく過熱度を付与できるので、冷媒熱交換手段の小型化が図れ安価な除湿装置を提供できるとともに、凝縮器では冷媒をまず空気で冷却した後流側で空気よりも低温の低温冷媒により冷却することになり、より過冷却度を増加できるので、ヒートポンプが効率よく動作し、蒸発器での吸着量が増え除湿量が増えることになり効率の良い除湿装置を提供できるという効果を奏する。
【００４７】
また、本発明の請求項５記載の除湿機は、冷媒熱交換手段を、高温高圧冷媒流路および低温低圧冷媒流路を有する二重管熱交換器により構成することにより、二重管の内部配管内を流れる冷媒と内部配管と外部配管の間を流れる冷媒が、内部配管の壁面を介して熱交換するので熱交換の高効率化、小型化が図れ、安価で除湿効率の良い除湿装置を提供できるという効果を奏する。
【００４８】
また、本発明の請求項６記載の除湿機は、高温高圧冷媒流路および低温低圧冷媒流路を鉛直に構成することにより、ガス冷媒と液冷媒の二相流となっていると想定される冷媒の管内でのガス冷媒および液冷媒の滞留や偏りを抑制するので、滞留や偏りによる冷媒の不安定が抑制され安定して効率よく熱交換が行われ、ヒートポンプの高効率化が図れ、除湿能力の高い除湿装置を提供できるという効果を奏する。
【００４９】
また、本発明の請求項７記載の除湿機は、高温高圧冷媒流路を下方流とすることにより、高温高圧冷媒中の液部分を下方に溜め込みながら流れるので、冷媒熱交換手段から高温冷媒が流出する際には液冷媒となって流出することになり、その後段に続く減圧機構に確実に液冷媒を供給するので、減圧機構にガス冷媒が混入することによる冷媒の不安定が抑制され、ヒートポンプの高効率化が図れ、除湿能力の高い除湿装置を提供できるという効果を奏する。
【００５０】
また、本発明の請求項８記載の除湿機は、二重管熱交換器を外部配管の内部に内部配管を設置した構成とし、前記内部配管の内部を高温高圧冷媒流路とし、前記内部配管と前記外部配管の間を低温低圧冷媒流路とすることにより、低温冷媒は高温冷媒および周囲の空気の両方から吸熱することができ必要な過熱度をより小型の冷媒熱交換手段で付与するので、装置の小型化が図られ、安価でコンパクトで効率の良い除湿装置を提供できるという効果を奏する。
【００５１】
また、本発明の請求項９記載の除湿機は、二重管熱交換器を外部配管の内部に内部配管を設置した構成とし、内部配管の内部を低温低圧冷媒流路とし、内部配管と外部配管の間を高温高圧冷媒流路とすることにより、高温冷媒は低温冷媒および周囲の空気の両方に放熱することができ過冷却度を増加できるのでヒートポンプを効率よく動作させ、除湿効率のよい除湿装置を提供できるとともに、低温冷媒が周囲を高温冷媒により囲まれているので低温冷媒流路の周りに水分の結露が生じないので、結露水の装置外への漏洩などの不具合を生じることがなく、信頼性の高い除湿装置を提供できるという効果を奏する。
【００５２】
また、本発明の請求項１０記載の除湿機は、高温高圧冷媒流路の配管と低温低圧冷媒流路の配管を接合することにより冷媒熱交換手段を構成することにより、高温冷媒と低温冷媒が配管の接合部を介して熱交換をするので、簡単な構成で冷媒の熱交換が可能となり、効率の良い除湿装置を安価で提供できるという効果を奏する。
【００５３】
また、本発明の請求項１１記載の除湿機は、高温高圧冷媒流路の配管と低温低圧冷媒流路の配管を接合する接合部は溶接（ロー付け）されていることにより、接合部での配管同士の密着度を高め、熱交換に対する接触熱抵抗を低減させ熱交換効率を向上するので、ヒートポンプをより効率よく動作させ除湿能力を高めることができ除湿性能の高い除湿装置を提供できるという効果を奏する。
【００５４】
また、本発明の請求項１２記載の除湿機は、高温高圧冷媒流路の配管と低温低圧冷媒流路の配管を押圧により接合することにより、押圧が接合部での配管同士の密着度を高め、熱交換に対する接触熱抵抗を低減させ熱交換効率を向上するとともに、簡単な構成で製作できるので、安価な構成で冷媒熱交換を実現でき、ヒートポンプの高効率化が図られ、除湿能力の高い除湿装置を提供できるという効果を奏する。
【００５５】
また、本発明の請求項１３記載の除湿機は、高温高圧冷媒流路の配管と低温低圧冷媒流路の配管を接合する接合部にはそれぞれ平面部を設けることにより、接合部の面積すなわち伝熱面積を拡大し、熱交換効率を高めるとともに、製作する際に位置決めを簡単にできるようにするので、ヒートポンプの高効率化が図られ除湿能力が高く、しかも製作が容易な除湿装置を提供できるという効果を奏する。
【００５６】
また、本発明の請求項１４記載の除湿機は、高温高圧冷媒流路と低温低圧冷媒流路を対向させることにより、所謂対向流の熱交換器とすることができ、理想状態ではそれぞれの冷媒の入口温度まで他方の冷媒は熱交換を行うことができ、熱交換効率を高めるので、ヒートポンプの高効率化がより図られ、除湿能力の高い除湿装置を提供できるという効果を奏する。
【図面の簡単な説明】
【００５７】
【図１】本発明の実施形態１にかかる除湿装置の概略構成を示した模式図
【図２】同、除湿装置の冷媒の状態変化を示すモリエル線図（圧力−エンタルピ線図）
【図３】同除湿装置の冷媒熱交換手段２の概略構成を示した図（（ａ）冷媒熱交換手段２の概略構成を示した断面図、（ｂ）同図３（ａ）のＧ−Ｇ断面を示した断面図）
【図４】本発明の実施形態２にかかる除湿装置の冷媒熱交換手段２の概略構成を示した図（（ａ）冷媒熱交換手段２の概略構成を示した断面図、（ｂ）同図４（ａ）のＨ−Ｈ断面を示した断面図）
【図５】本発明の実施形態３にかかる除湿装置の冷媒熱交換手段２の概略構成を示した図（（ａ）冷媒熱交換手段２の概略構成を示した断面図、（ｂ）同図５（ａ）のＩ−Ｉ断面を示した断面図）
【図６】本発明の実施形態４にかかる除湿装置の概略構成を示した模式図
【図７】本発明の実施形態５にかかる除湿装置の概略構成を示した模式図
【図８】同、除湿装置の冷媒の状態変化を示すモリエル線図
【図９】従来技術の除湿装置の概略構成を示した模式図
【図１０】同除湿装置の冷媒の状態変化を示すモリエル線図
【発明を実施するための形態】
【００５８】
以下、本発明の実施の形態について図面を参照しながら説明する。なお、従来の例と同一の構成要素については同一の符号を用い、詳細な説明は省略する。
【００５９】
（実施の形態１）
以下、本発明の実施の形態を図１〜３に基づいて説明する。
【００６０】
図１は、本発明の実施の形態１にかかる除湿装置の概略構成を示す簡易的な模式図である。図１に示すように、この除湿装置は本体１内に、圧縮機１０１、凝縮器１０２、減圧機構１０３、蒸発器１０４を配管接続し密閉回路を形成している。この密閉回路内に作動流体である冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填して蒸気圧縮式のヒートポンプを形成している。凝縮器１０２および蒸発器１０４は、ヘアピンチューブに複数枚のフィンを嵌入して空気流通を可能に構成したフィンチューブ型の熱交換器で構成され、凝縮器１０２と蒸発器１０４を接続する配管中には減圧機構１０３として、例えば、キャピラリチューブや膨張弁等を介在させている。ここで、凝縮器１０２は周囲空気に対して放熱する放熱器として作用し、蒸発器１０４は、周囲空気から吸熱する吸熱器として作用する。
【００６１】
また、蒸発器１０４から流出する低温低圧冷媒と、凝縮器から流出する高温高圧冷媒とを熱交換する冷媒熱交換手段２を設置している。本実施例では、蒸発器１０４から圧縮機１０１に至る間の冷媒と凝縮器１０２から減圧機構１０３に至る間の冷媒を熱交換させる構成となっている。
【００６２】
そして、本体１には吸込口３と吹出口４を開口し、送風手段１０６の運転によって、室内の除湿対象空気１０５を吸込口３より本体１内に導入している。本体１内に供給された除湿対象空気１０５は蒸発器１０４、凝縮器１０２の順に供給されて吹出口４より本体１外部に流出する。この送風手段１０６はケース内で羽根が回転駆動することにより送風する所謂シロッコファンとして構成されている。
【００６３】
吸込口３から吸引された除湿対象空気１０５は、蒸発器１０４に供給され飽和温度以下まで冷却される。この冷却過程で飽和した水分は凝縮し結露水として下方に滴下し、蒸発器１０４の下部に設置してある水受け部５を介して貯水タンク１０７に貯水される。水分を凝縮除湿された除湿対象空気１０５は、凝縮器１０２に供給され加熱されたのち除湿空気として吹出口４から室内に供給される。
【００６４】
次に除湿装置の動作を説明する。
【００６５】
図２は、従来の除湿装置の冷媒の状態変化と、図１に示した本実施の形態の除湿装置における冷媒の状態変化を示すモリエル線図（圧力−エンタルピ線図）である。図２に示した点ａ、点ｂ、点ｃ、点ｄを点線で結んだサイクルは、従来の除湿装置の冷媒回路内を循環する冷媒の状態変化を示しており、冷媒は圧縮機１０１において圧縮されることにより圧力とエンタルピが上昇して点ｄから点ａの状態変化を行い、凝縮器１０２において供給される室内空気に対して放熱することによりエンタルピが減少して点ａから点ｂの状態となる。この時、点ｂは飽和液線を越えて冷却される。この飽和液線との温度差は過冷却度と呼ばれ、冷却効果の増大やフラッシュガス抑制の効果があり、所定量付与されている。
次に冷媒は減圧機構１０３において膨張して減圧することにより圧力が低下して点ｂから点ｃの状態変化を行い、蒸発器１０４において供給される空気から吸熱することによりエンタルピが増加して点ｃから点ｄの状態に戻る。この時、点ｄは飽和液線を越えて過熱される。この飽和液線との温度差は過熱度と呼ばれ、圧縮機１０１が液冷媒を吸込む液戻りを防止するために必要であり、所定量付与されている。このような冷媒の状態変化により、蒸発器１０４において吸熱し、凝縮器１０２において放熱するヒートポンプが動作し、この時、点ａと点ｂのエンタルピ差に冷媒の循環量を乗じた値が凝縮器１０２における放熱量、点ｃ（点ｂ）と点ｄのエンタルピ差に冷媒の循環量を乗じた値が蒸発器１０４における吸熱量となり、放熱量と吸熱量の差、即ち点ｄと点ａのエンタルピ差に冷媒の循環量を乗じた値が圧縮機１０１の圧縮仕事量になる。
【００６６】
一方、本実施の形態の除湿装置においては、冷媒の状態変化は点Ａ、点Ｂ、点Ｃ、点Ｄ、点Ｅ、点Ｆを実線で結んだサイクルとなる。冷媒は圧縮機１０１において圧縮されることにより圧力とエンタルピが上昇して点Ｆから点Ａの状態変化を行い、凝縮器１０２において供給される除湿対象空気１０５に対して放熱することによりエンタルピが減少して点Ａから点Ｂの状態になる。さらに冷媒熱交換手段２において蒸発器１０４から流出する低温冷媒と熱交換を行い更に点Ｂから点Ｃまで冷却され、過冷却度を増加される。次に減圧機構１０３において膨張して減圧することにより圧力が低下して点Ｃから点Ｄの状態変化を行い、蒸発器１０４において供給される空気から吸熱することによりエンタルピが増加して点Ｄから点Ｅの状態変化を行う。さらに冷媒熱交換手段２により凝縮器１０２から流出する高温冷媒と熱交換を行い点Ｅから点Ｆまで所定の過熱度を付与されるように状態変化を行う。このような状態変化を行いヒートポンプが動作している。
【００６７】
この時、点Ａと点Ｂのエンタルピ差に冷媒の循環量を乗じた値が凝縮器１０２における放熱量であり、点Ｂと点Ｃのエンタルピ差に冷媒の循環量を乗じた値が冷媒熱交換手段２の熱交換量となり、点Ｅと点Ｆのエンタルピ差に冷媒循環量を乗じた値と等しくなる。また、点Ｄ（点Ｃ）と点Ｅのエンタルピ差に冷媒の循環量を乗じた値が蒸発器１０４における吸熱量となり、点Ｆと点Ａのエンタルピ差に冷媒の循環量を乗じた値が圧縮機１０１の圧縮仕事となる。
【００６８】
そして、従来であれば蒸発器１０４において過熱度を付与する必要があるため、二相流で流入してきた冷媒は、蒸発がすすみ、蒸発器１０４の冷媒流路において途中から過熱度が付与され、ガス状態となり、温度が上昇し始める。この場合、蒸発器１０４の空気側表面の一部も温度が上昇してしまい、水分凝縮に活用できなくなる。本発明の除湿装置においては、過熱度の付与を冷媒熱交換手段２に行わせることにより蒸発器１０４は冷媒流路のほとんどが二相流状態となり、蒸発器１０４表面は低温を維持することができる。このため、空気の水分凝縮面積を最大化することができ、除湿能力を向上させることができる。そして、この状態でも圧縮機１０１には、所定の過熱度が付与されたガス冷媒を吸込ませることができ、圧縮機１０１に対する液戻りなどの不具合もない。
【００６９】
また、凝縮器１０２では、凝縮器１０２において冷媒を冷却した後に、冷媒熱交換手段２にて低温冷媒と熱交換することにより、更に冷却し、過冷却度を大きくすることができる。このため、見かけ上の放熱量は増加することになり、凝縮器１０２を大きくしたのと同じ効果が期待できる。
【００７０】
図３（ａ）は、冷媒熱交換手段２の構成を示した断面図であり、図３（ｂ）は図３（ａ）中のＧ−Ｇ断面を示した断面図である。入口および出口を有する内部配管６を、内部配管６より直径の大きな外部配管７の中に挿入し、外部配管７は端部を縮管し内部配管６にロー付けなどにより固定され、さらに外部配管７にも入口および出口を有している。冷媒はそれぞれ、内部配管６の内部と、内部配管６と外部配管７の間に流入し、それぞれの冷媒は混合することがない。それぞれの冷媒は、内部配管６の壁面を介して熱交換が成される二重管熱交換器８の構成となっている。
【００７１】
本実施例では、蒸発器１０４から流出してくる低温低圧冷媒を内部配管６の内部に下方から上方に向かって流通させる低温低圧冷媒流路９を構成し、凝縮器１０２から流出してくる高温高圧冷媒を内部配管６と外部配管７の間の流路に上方から下方に向かって流通させる高温高圧冷媒流路１０を構成している。このように熱交換対象冷媒を対向流とすることにより、理論的な最大熱交換効率は１００％とすることができ、熱交換効率を高めることができる。
【００７２】
また、高温高圧冷媒は液冷媒を多く含んだ二相流状態で冷媒熱交換手段２に流入し、熱交換を行いながら最終的にはほぼ液冷媒となって流出することになる。上記のように高温高圧冷媒を上方から下方に向かって流通させることにより、スムーズに液冷媒を沈降させ、冷媒通路の中の淀みやそれによる熱交換の不均一を軽減する作用を有する。
【００７３】
そして、高温高圧冷媒が周囲空気と外部配管７の壁面を介して熱交換を行うことができるので、高温高圧冷媒の冷却が更に促進されることになる。
【００７４】
さらに、低温低圧冷媒は、ガス冷媒を多く含んだ二相流状態で冷媒熱交換手段２に流入し、熱交換を行いながら最終的にはほぼガス冷媒となって流出することになる。上記のように低温低圧冷媒を下方から上方に向かって流通させることにより、冷媒の攪拌が促進され、熱伝導率を上昇させるという作用を有する。
【００７５】
また、蒸発器１０４から流出してきた低温低圧冷媒が通る配管は、室内空気の温湿度条件によっては、配管壁面で水分の結露が生じる可能性が高い。これは、壁面温度が周囲空気の露点よりも低い場合に起こる現象である。上記のように、低温低圧冷媒流路９を内部配管６の内部に通すことにより、周囲空気と低温低圧冷媒が通る配管の接触を少なくする、もしくは無くすことができるので、配管壁面での水分の結露を抑制することができ、この結露が原因となる水漏れなどの不具合をなくすことができる。
【００７６】
なお、配管には、銅、アルミ、ステンレスなどの熱伝導の良い金属を使用して、熱交換効率を向上させている。
【００７７】
以上、説明した構成および動作により、本実施形態の除湿装置は、以下の効果を奏するものである。
【００７８】
ヒートポンプを効率よく動作させるために圧縮機１０１流入までに確保すべき過熱度を冷媒が蒸発器１０４を流出してから圧縮機１０１に流入するまでの間に付与することにより、蒸発器１０４内部の最後流で二相流から気相に相変化し冷媒温度が上昇する部分を極力少なくすることになり、通常であれば蒸発器１０４温度が高くなって水分を凝縮させるのに利用できなかった部分も水分凝縮に利用できるようにするので、水分凝縮量が増え、除湿量が増えることになり効率の良い除湿装置を供給できるという効果を奏する。
【００７９】
また、ヒートポンプを効率よく動作させるために圧縮機１０１流入までに確保すべき過熱度を冷媒が蒸発器１０４を通過している間に付与しないことにより、確実に蒸発器１０４全体を供給空気の水分凝縮に利用できるようにするので水分凝縮量が増加し除湿量が増えることになり効率の良い除湿装置を提供できるという効果を奏する。
【００８０】
また、蒸発器１０４から流出する低温冷媒と凝縮器１０２から流出し減圧機構１０３に至るまでの高温冷媒とを熱交換する冷媒熱交換手段２を備えることにより、装置内の高温部分と熱交換することになり温度差を確保し、効率よく過熱度を付与できるので、冷媒熱交換手段２の小型化が図れ安価な除湿装置を提供できるとともに、凝縮器１０２では冷媒をまず空気で冷却した後流側で空気よりも低温の低温冷媒により冷却することになり、より過冷却度を増加できるので、ヒートポンプが効率よく動作し蒸発器１０４での吸着量が増え除湿量が増えることになり効率の良い除湿装置を提供できるという効果を奏する。
【００８１】
また、冷媒熱交換手段２を、高温高圧冷媒流路１０および低温低圧冷媒流路９を有する二重管熱交換器８により構成することにより、二重管の内部配管６内を流れる冷媒と内部配管６と外部配管７の間を流れる冷媒が、内部配管６の壁面を介して熱交換するので熱交換の高効率化、小型化が図れ、安価で除湿効率の良い除湿装置を提供できるという効果を奏する。
【００８２】
また、高温高圧冷媒流路１０および低温低圧冷媒流路９を鉛直に構成することにより、ガス冷媒と液冷媒の二相流となっていると想定される冷媒の管内でのガス冷媒および液冷媒の滞留や偏りを抑制するので、滞留や偏りによる冷媒の不安定が抑制され安定して効率よく熱交換が行われ、ヒートポンプの高効率化が図れ、除湿能力の高い除湿装置を提供できるという効果を奏する。
【００８３】
また、高温高圧冷媒流路１０を下方流とすることにより、高温高圧冷媒中の液部分を下方に溜め込みながら流れるので、冷媒熱交換手段２から高温冷媒が流出する際には液冷媒となって流出することになり、その後段に続く減圧機構１０３に確実に液冷媒を供給するので、減圧機構１０３にガス冷媒が混入することによる冷媒の不安定が抑制され、ヒートポンプの高効率化が図れ、除湿能力の高い除湿装置を提供できるという効果を奏する。
【００８４】
また、二重管熱交換器８を外部配管７の内部に内部配管６を設置した構成とし、内部管の内部を低温低圧冷媒流路９とし、内部配管６と外部配管７の間を高温高圧冷媒流路１０とすることにより、高温冷媒は低温冷媒および周囲の空気の両方に放熱することができ過冷却度を増加できるのでヒートポンプを効率よく動作させ、除湿効率のよい除湿装置を提供できるとともに、低温冷媒が周囲を高温冷媒により囲まれているので低温低圧冷媒流路９の周りに水分の結露が生じないので、結露水の装置外への漏洩などの不具合を生じることがなく、信頼性の高い除湿装置を提供できるという効果を奏する。
【００８５】
（実施の形態２）
図４（ａ）は、本発明の実施形態２にかかる除湿装置の冷媒熱交換手段２の概略構成を示す簡易的な模式図であり、図４（ｂ）は図４（ａ）中のＨ−Ｈ断面を示した断面図である。なお、上記した実施の形態１と同一部分は同一符号を付し、詳細な説明は省略する。
【００８６】
本実施の形態では、入口および出口を有する内部配管６を、内部配管６より直径の大きな外部配管７の中に挿入し、外部配管７は端部を縮管し内部配管６にロー付けなどにより固定され、さらに外部配管７にも入口および出口を有している。冷媒はそれぞれ、内部配管６の内部と、内部配管６と外部配管７の間に流入し、それぞれの冷媒は混合することがない。それぞれの冷媒は、内部配管の壁面を介して熱交換が成される二重管熱交換器８の構成となっている。
【００８７】
本実施例では、凝縮器１０２から流出してくる高温高圧冷媒を内部配管６の内部に上方から下方に向かって流通させる高温高圧冷媒流路１０を構成し、蒸発器１０４から流出してくる低温低圧冷媒を内部配管６と外部配管７の間の流路に上方から下方に向かって流通させる低温低圧冷媒流路９を構成している。このように熱交換対象冷媒を対向流とすることにより、理論的な最大熱交換効率は１００％とすることができ、熱交換効率を高めることができる。
【００８８】
また、高温高圧冷媒は液冷媒を多く含んだ二相流状態で冷媒熱交換手段２に流入し、熱交換を行いながら最終的にはほぼ液冷媒となって流出することになる。上記のように高温高圧冷媒を上方から下方に向かって流通させることにより、スムーズに液冷媒を沈降させ、冷媒通路の中の淀みやそれによる熱交換の不均一を軽減する作用を有する。
【００８９】
そして、高温高圧冷媒が内部配管６の内部を流通するので、高圧の冷媒が内部配管６および外部配管７の二重の配管に囲まれることになるので、冷媒熱交換手段２からの冷媒の漏れなどの不具合を抑制することができる。
【００９０】
さらに、低温低圧冷媒は、ガス冷媒を多く含んだ二相流状態で冷媒熱交換手段２に流入し、熱交換を行いながら最終的にはほぼガス冷媒となって流出することになる。上記のように低温低圧冷媒を下方から上方に向かって流通させることにより、冷媒の攪拌が促進され、熱伝導率を上昇させるという作用を有する。
【００９１】
そして、低温低圧冷媒を内部配管６と外部配管７の間の冷媒流路に通すことにより、低温低圧冷媒は周囲空気との熱交換、および内部配管６の内部を通る高温高圧冷媒との熱交換の両方の熱交換を行うことができ、より効率的に吸熱することができる。これにより、低温低圧冷媒に付与すべき必要過熱度を、より小型の冷媒熱交換手段２にて付与することができる。
【００９２】
なお、配管には、銅、アルミ、ステンレスなどの熱伝導の良い金属を使用して、熱交換効率を向上させている。
【００９３】
以上、説明した構成および動作により、本実施形態の除湿装置は、以下の効果を奏するものである。
【００９４】
冷媒熱交換手段２を、高温高圧冷媒流路１０および低温低圧冷媒流路９を有する二重管熱交換器８により構成することにより、二重管の内部配管６内を流れる冷媒と内部配管６と外部配管７の間を流れる冷媒が、内部配管６の壁面を介して熱交換するので熱交換の高効率化、小型化が図れ、安価で除湿効率の良い除湿装置を提供できるという効果を奏する。
【００９５】
また、高温高圧冷媒流路１０および低温低圧冷媒流路９を鉛直に構成することにより、ガス冷媒と液冷媒の二相流となっていると想定される冷媒の管内でのガス冷媒および液冷媒の滞留や偏りを抑制するので、滞留や偏りによる冷媒の不安定が抑制され安定して効率よく熱交換が行われ、ヒートポンプの高効率化が図れ、除湿能力の高い除湿装置を提供できるという効果を奏する。
【００９６】
また、高温高圧冷媒流路１０を下方流とすることにより、高温高圧冷媒中の液部分を下方に溜め込みながら流れるので、冷媒熱交換手段２から高温冷媒が流出する際には液冷媒となって流出することになり、その後段に続く減圧機構１０３に確実に液冷媒を供給するので、減圧機構１０３にガス冷媒が混入することによる冷媒の不安定が抑制され、ヒートポンプの高効率化が図れ、除湿能力の高い除湿装置を提供できるという効果を奏する。
【００９７】
また、二重管式熱交換器８を外部配管７の内部に内部配管６を設置した構成とし、内部配管６の内部を高温高圧冷媒流路１０とし、内部配管６と外部配管７の間を低温低圧冷媒流路９とすることにより、低温冷媒は高温冷媒および周囲の空気の両方から吸熱することができ必要な過熱度をより小型の冷媒熱交換手段２で付与するので、装置の小型化が図られ、安価でコンパクトで効率の良い除湿装置を提供できるという効果を奏する。
【００９８】
（実施の形態３）
図５（ａ）は、本発明の実施形態３にかかる除湿装置の冷媒熱交換手段２の概略構成を示す簡易的な模式図であり、図５（ｂ）は図５（ａ）中のＩ−Ｉ断面を示した断面図である。なお、上記した実施の形態１および２と同一部分は同一符号を付し、詳細な説明は省略する。
【００９９】
本実施の形態では、高温高圧冷媒が流通し高温高圧冷媒流路１０となる配管と、低温低圧冷媒が流通し低温低圧冷媒流路９となる配管を並列に配置し、それぞれの配管を接合することによりその接合部１１を介してそれぞれの冷媒が熱交換を行う冷媒熱交換手段２を構成している。接合部１１は、ロー付けなどにより密着度を高め、熱交換効率を高める構成となっている。また、接合部１１には、平面部１２を設け、接合時の位置決めや、ロー付けによる接合をやりやすいようにするとともに、伝熱面積を拡大し、熱交換効率を向上させる作用も有する。
【０１００】
凝縮器１０２から流出してくる高温高圧冷媒が通る高温高圧冷媒流路１０を上方から下方に向かって流通させ、蒸発器１０４から流出してくる低温低圧冷媒が通る低温低圧冷媒流路９を下方から上方に向かって流通させている。このように熱交換対象冷媒を対向流とすることにより、理論的な最大熱交換効率は１００％とすることができ、熱交換効率を高めることができる。
【０１０１】
また、高温高圧冷媒は液冷媒を多く含んだ二相流状態で冷媒熱交換手段２に流入し、熱交換を行いながら最終的にはほぼ液冷媒となって流出することになる。上記のように高温高圧冷媒を上方から下方に向かって流通させることにより、スムーズに液冷媒を沈降させ、冷媒通路の中の淀みやそれによる熱交換の不均一を軽減する作用を有する。
【０１０２】
さらに、低温低圧冷媒は、ガス冷媒を多く含んだ二相流状態で冷媒熱交換手段２に流入し、熱交換を行いながら最終的にはほぼガス冷媒となって流出することになる。上記のように低温低圧冷媒を下方から上方に向かって流通させることにより、冷媒の攪拌が促進され、熱伝導率を上昇させるという作用を有する。
【０１０３】
なお、配管には、銅、アルミ、ステンレスなどの熱伝導の良い金属を使用して、熱交換効率を向上させている。
【０１０４】
また、本実施例ではロー付けすることにより接合しているが、配管を接合部１１にて密接させ、押圧することにより密着度を高めながら接合してもよく、この場合、冷媒熱交換手段２を簡単な構成で作成できるので、作業工数が少なく安価に作成できる。
【０１０５】
以上、説明した構成および動作により、本実施形態の除湿装置は、以下の効果を奏するものである。
【０１０６】
高温高圧冷媒流路１０の配管と低温低圧冷媒流路９の配管を接合することにより冷媒熱交換手段２を構成することにより、高温冷媒と低温冷媒が配管の接合部１１を介して熱交換をするので、簡単な構成で冷媒の熱交換が可能となり、効率の良い除湿装置を安価で提供できるという効果を奏する。
【０１０７】
また、高温高圧冷媒流路１０の配管と低温低圧冷媒流路９の配管を接合する接合部１１は溶接（ロー付け）されていることにより、接合部１１での配管同士の密着度を高め、熱交換に対する接触熱抵抗を低減させ熱交換効率を向上するので、ヒートポンプをより効率よく動作させ除湿能力を高めることができ除湿性能の高い除湿装置を提供できるという効果を奏する。
【０１０８】
また、高温高圧冷媒流路１０の配管と低温低圧冷媒流路９の配管を押圧により接合することにより、押圧が接合部１１での配管同士の密着度を高め、熱交換に対する接触熱抵抗を低減させ熱交換効率を向上するとともに、簡単な構成で製作できるので、安価な構成で冷媒熱交換を実現でき、ヒートポンプの高効率化が図られ、除湿能力の高い除湿装置を提供できるという効果を奏する。
【０１０９】
また、高温高圧冷媒流路１０の配管と低温低圧冷媒流路９の配管を接合する接合部１１にはそれぞれ平面部１２を設けることにより、接合部１１の面積すなわち伝熱面積を拡大し、熱交換効率を高めるとともに、製作する際に位置決めを簡単にできるようにするので、ヒートポンプの高効率化が図られ除湿能力が高く、しかも製作が容易な除湿装置を提供できるという効果を奏する。
【０１１０】
また、高温高圧冷媒流路１０と低温低圧冷媒流路９を対向させることにより、所謂対向流の熱交換器とすることができ、理想状態ではそれぞれの冷媒の入口温度まで他方の冷媒は熱交換を行うことができ、熱交換効率を高めるので、ヒートポンプの高効率化がより図られ、除湿能力の高い除湿装置を提供できるという効果を奏する。
【０１１１】
（実施の形態４）
図６は、本発明の実施形態４にかかる除湿装置の概略構成を示す簡易的な模式図である。なお、上記した実施の形態１、２および３と同一部分は同一符号を付し、詳細な説明は省略する。
【０１１２】
本実施の形態では、図６に示すように、蒸発器１０４から流出する低温低圧冷媒と、圧縮機１０１から流出する高温高圧冷媒とを熱交換する冷媒熱交換手段２を設置している。つまり、蒸発器１０４から圧縮機１０１に至る間の冷媒と圧縮機１０１から凝縮器１０２に至る間の冷媒を熱交換させる構成となっている。
【０１１３】
冷媒熱交換手段２において、低温側の冷媒は、蒸発器１０４から流出してくる低温低圧冷媒であるが、この冷媒により多くの熱を供給し、過熱度を効率よく付与するためには、高温側の冷媒と、この冷媒との温度差を大きく取る方が望ましい。圧縮機１０１、凝縮器１０２、減圧機構１０３、蒸発器１０４により構成されるヒートポンプにおいて、この経路内を流れる冷媒の温度を見てみると、圧縮機１０１により圧縮された直後の冷媒が一番温度は高くなる。よって、この圧縮機１０１流出後の高温高圧冷媒と熱交換を行うことにより過熱度を効率よく付与することができる。
【０１１４】
そして、上記構成とすることによって、必要な過熱度を付与するのに、より小型の冷媒熱交換手段を採用することできる。
【０１１５】
以上、説明した構成および動作により、本実施形態の除湿装置は、以下の効果を奏するものである。
【０１１６】
蒸発器１０４から流出する低温冷媒と圧縮機１０１から吐出されて凝縮器１０２に至るまでの高温冷媒とを熱交換する冷媒熱交換手段２を備えることにより、ヒートポンプを流れる冷媒の中で一番高温となる圧縮機１０１吐出直後の冷媒と熱交換することになり温度差を確保し、効率よく過熱度を付与できるので、冷媒熱交換手段２の小型化が図れ安価な除湿装置を提供できるとともに、ヒートポンプを効率よく動作させるために冷媒が減圧機構１０３流入までに確保すべき過冷却度も上記温度差が大きいことによる熱交換効率増大により同様に増加させるので、ヒートポンプが効率よく動作し、蒸発器１０４での吸着量が増え除湿量が増えることになり効率の良い除湿装置を提供できるという効果を奏する。
【０１１７】
（実施の形態５）
図７は、本発明の実施形態５にかかる除湿装置の概略構成を示す簡易的な模式図である。なお、上記した実施の形態１、２、３および４と同一部分は同一符号を付し、詳細な説明は省略する。
【０１１８】
図７に示すように、この除湿装置は本体１内に、圧縮機１０１、凝縮器１０２、減圧機構１０３、蒸発器１０４を配管接続し密閉回路を形成している。この密閉回路内に作動流体である冷媒を充填して蒸気圧縮式のヒートポンプを形成している。
【０１１９】
また、蒸発器１０４から流出する低温低圧冷媒と、凝縮器１０２から流出する高温高圧冷媒とを熱交換する冷媒熱交換手段２を設置している。本実施例では、蒸発器１０４から圧縮機１０１に至る間の冷媒と凝縮器１０２から減圧機構１０３に至る間の冷媒を熱交換させる構成となっている。
【０１２０】
また、供給空気から吸湿する吸湿領域１３および供給空気に対して放湿する放湿領域１４を有するデシカントローター１５を設けている。デシカントローター１５は回動可能に立設されており、このデシカントローター１５を周方向に毎時１０回転から４０回転程度の速度で回転させる駆動手段１６をデシカントローター１５の外周側に配設している。この駆動手段１６は、デシカントローター１５の外周に形設されたギアと、このギアと歯合する駆動モータを備えており、駆動モータの作動によってギアに回転力を加え、デシカントローター１５を回転させるように動作するものである。このデシカントローター１５は、軸方向に通風可能なハニカム構造もしくはコルゲート構造の円筒構造体に、シリカゲル、ゼオライトなどの無機質の吸着型吸湿剤、あるいは有機高分子電解質（イオン交換樹脂）などの吸湿剤、もしくは塩化リチウムなどの吸収型吸湿剤を１種類若しくは複数担持して構成されており、周囲の環境に応じて吸湿量が変化する特性を有している。
【０１２１】
また、加熱手段１７はデシカントローター１５の放湿領域１４に近接して配設されており、この加熱手段１７の発熱によってデシカントローター１５に供給される空気およびデシカントローター１５自身が加熱されることになる。この加熱手段１７は発熱動作を行い得るものであれば良く、例えば、ニクロムヒーター、ハロゲンヒーター、カーボンヒーター、シーズヒーター、ＰＴＣヒーター等を用いることができるが、輻射熱成分を多く放散する形式のものがデシカントローター１５を直接高温に加熱して効率良く水分を放出させることが可能となり好ましい。
【０１２２】
このデシカントローター１５は駆動手段１６によって回転しているので、デシカントローター１５に担持されている吸湿剤は、吸湿領域１３と放湿領域１４を連続的に移動し、吸湿領域１３における吸湿動作と放湿領域１４における水分放出動作を連続的に行うことになる。
【０１２３】
そして、本体１には吸込口３と吹出口４を開口し、送風手段１０６の運転によって、室内空気を吸込口３より本体１内に導入している。本体１内に供給された室内空気が、凝縮器１０２、加熱手段１７、放湿領域１４、蒸発器１０４、吸湿領域１３に順に供給されて吹出口４より本体１外部に流出するメイン風路１８と、吸込口３から導入された室内空気が、凝縮器１０２に供給されて、吹出口４より本体１外部に流出するバイパス風路１９を形成している。この送風手段１０６は、ケース内で羽根が回転駆動することにより送風するいわゆるシロッコファンとして構成されている。なお、図示していないが、送風手段１０６を、ケースにファン吸込口を２つ開口するとともに主板の両側にブレードを有し、２つの風路から吸込み、それぞれのブレードからの送風が混ざらないように吹出す構成とすることにより、１つの送風手段１０６にて２つの風路から吸込み、それぞれ別々に吹き分ける構成とすることもできる。その場合、吹出口４をもう１つ設け、メイン風路１８には吹出口を切換える吹出口ダンパーを設け、メイン風路１８から室内に供給される空気がバイパス風路１９と混合するか、しないかを切換を可能にすることもできる。
【０１２４】
吸込口３から吸引された空気は、凝縮器１０２により加熱され、さらに加熱手段１７により加熱され高温となってデシカントローター１５の放湿領域１４に供給され、その後、蒸発器１０４を通過し冷却され、デシカントローター１５の吸湿領域１３に供給される。このデシカントローター１５に担持されている吸湿剤は、相対的に湿度が高く温度の低い空気から吸湿し、相対的に湿度が低く温度の高い空気に水分を放出する特性を有しているので、放湿領域１４において加熱された高温空気と接触することにより水分を放出して再生し、吸湿領域１３において蒸発器１０４により冷却された空気から吸湿することになる。このデシカントローター１５は駆動手段１６によって回転しているので、デシカントローター１５に担持されている吸湿剤は、吸湿領域１３と放湿領域１４を連続的に移動し、吸湿領域１３における吸湿動作と放湿領域１４における水分放出動作を連続的に行うことになる。放湿領域１４において放出された水分を含んだ空気は、高温高湿状態となり風下側に配設された蒸発器１０４に供給される。この高温高湿空気はエンタルピも上昇しているので、蒸発器１０４内の冷媒とのエンタルピ差が拡大して高効率な吸熱動作が行われ、供給空気は飽和温度以下まで冷却される。この冷却過程で飽和した水分は結露水として下方に滴下し、図示しないドレンパンで受け止められた後に本体１の下部に配設された貯水タンク１０７に貯留される。
【０１２５】
一方、吸湿領域１３には、蒸発器１０４によりその飽和温度以下まで冷却され、相対湿度が高い状態（ほぼ飽和状態）となった空気が供給される。上述したようにデシカントローター１５に担持されている吸湿剤は、相対的に湿度が高く温度の低い空気から吸湿し、相対的に湿度が低く温度の高い空気に水分を放出する特性を有しているので、放湿領域１４を通過する空気と吸湿領域１３を通過する空気の相対湿度差を拡大させることができ、高効率な吸放湿動作を行うことができる。
【０１２６】
次にヒートポンプの動作を説明する。
【０１２７】
図８は、従来の除湿装置の冷媒の状態変化と、図７に示した本発明の除湿装置の冷媒の状態変化を示すモリエル線図（圧力−エンタルピ線図）である。図８に示した点ａ、点ｂ、点ｃ、点ｄを点線で結んだサイクルは、従来の除湿装置の冷媒回路内を循環する冷媒の状態変化を示しており、冷媒は圧縮機１０１において圧縮されることにより圧力とエンタルピが上昇して点ｄから点ａの状態変化を行い、凝縮器１０２において供給される室内空気に対して放熱することによりエンタルピが減少して点ａから点ｂの状態となる。この時、点ｂは飽和液線を越えて冷却される。この飽和液線との温度差は過冷却度と呼ばれ、冷却効果の増大やフラッシュガス抑制の効果があり、所定量付与されている。次に減圧機構１０３において膨張して減圧することにより圧力が低下して点ｂから点ｃの状態変化を行い、蒸発器１０４において供給される空気から吸熱することによりエンタルピが増加して点ｃから点ｄの状態に戻る。この時、点ｄは飽和液線を越えて過熱される。この飽和液線との温度差は過熱度と呼ばれ、圧縮機１０１が液冷媒を吸込む液戻りを防止するために必要であり、所定量付与されている。このような冷媒の状態変化により、蒸発器１０４において吸熱し、凝縮器１０２において放熱するヒートポンプが動作し、この時、点ａと点ｂのエンタルピ差に冷媒の循環量を乗じた値が凝縮器１０２における放熱量、点ｃ（点ｂ）と点ｄのエンタルピ差に冷媒の循環量を乗じた値が蒸発器１０４における吸熱量となり、放熱量と吸熱量の差、即ち点ｄと点ａのエンタルピ差に冷媒の循環量を乗じた値が圧縮機１０１の圧縮仕事量になる。
【０１２８】
一方、本発明の除湿装置においては、冷媒の状態変化は点Ｊ、点Ｋ、点Ｌ、点Ｍ、点Ｎ、点Ｏを実線で結んだサイクルとなる。冷媒は圧縮機１０１において圧縮されることにより圧力とエンタルピが上昇して点Ｏから点Ｊの状態変化を行い、凝縮１０２において供給される室内空気に対して放熱することによりエンタルピが減少して点Ｊから点Ｋの状態になる。さらに冷媒熱交換手段２において蒸発器１０４から流出する低温冷媒と熱交換を行い更に点Ｋから点Ｌまで冷却され、過冷却度を増加される。次に減圧機構１０３において膨張して減圧することにより圧力が低下して点Ｌから点Ｍの状態変化を行い、蒸発器１０４において供給される空気から吸熱することによりエンタルピが増加して点Ｍから点Ｎの状態変化を行う。さらに冷媒熱交換手段２により凝縮器１０２から流出する高温冷媒と熱交換を行い点Ｎから点Ｏまで所定の過熱度を付与されるように状態変化を行う。このような状態変化を行いヒートポンプが動作している。
【０１２９】
この時、点Ｊと点Ｋのエンタルピ差に冷媒の循環量を乗じた値が凝縮器１０２における放熱量であり、点Ｋと点Ｌのエンタルピ差に冷媒の循環量を乗じた値が冷媒熱交換手段２の熱交換量となり、点Ｎと点Ｏのエンタルピ差に冷媒循環量を乗じた値と等しくなる。また、点Ｍ（点Ｌ）と点Ｎのエンタルピ差に冷媒の循環量を乗じた値が蒸発器１０４における吸熱量となり、点Ｏと点Ｊのエンタルピ差に冷媒の循環量を乗じた値が圧縮機１０１の圧縮仕事となる。
【０１３０】
そして、従来であれば蒸発器１０４において過熱度を付与する必要があるため、二相流で流入してきた冷媒は、蒸発がすすみ、蒸発器１０４の冷媒流路において途中から過熱度が付与され、ガス状態となり、温度が上昇し始める。この場合、蒸発器１０４の空気側表面の一部も温度が上昇してしまい、水分凝縮に活用できなくなる。本発明の除湿装置においては、過熱度の付与を冷媒熱交換手段２に行わせることにより蒸発器１０４は冷媒流路のほとんどが二相流状態となり、蒸発器１０４表面は低温を維持することができる。このため、空気の水分凝縮面積を最大化することができる。そして、この状態でも圧縮機１０１には、所定の過熱度が付与されたガス冷媒を吸込ませることができる。
【０１３１】
また、凝縮器１０２では、凝縮器１０２において冷媒を冷却した後に、冷媒熱交換手段２により低温冷媒と熱交換することにより、更に冷却し、過冷却度を大きくすることができる。このため、見かけ上の放熱量は増加することになり、凝縮器１０２を大きくしたのと同じ効果が期待できる。
【０１３２】
以上、説明した構成および動作により、本実施形態の除湿装置は、以下の効果を奏するものである。
【０１３３】
駆動手段１６によって回転し吸湿領域１３では供給空気から吸湿するとともに放湿領域１４では加熱されて水分を放出するデシカントローター１５を備え、室内空気を凝縮器１０２、放湿領域１４、蒸発器１０４、吸湿領域１３の順に供給し、除湿運転を行う除湿装置に冷媒熱交換手段２を備えることにより、放湿領域１４から放出される高温高湿空気を全面が低温となり水分凝縮に活用できるようなった蒸発器１０４に供給することができ水分凝縮効率が向上するので、除湿効率の高い除湿装置を提供できるという効果を奏する。
【産業上の利用可能性】
【０１３４】
以上のように本発明にかかる除湿装置は、ヒートポンプを利用して効率良く除湿できるものであり、除湿装置、乾燥機、衣類乾燥機、洗濯乾燥機、浴室換気乾燥機、溶剤回収装置または空調機等の高効率な除湿機能が望まれる用途に適している。
【符号の説明】
【０１３５】
２      冷媒熱交換手段
６      内部配管
７      外部配管
８      二重管熱交換器
９      低温低圧冷媒流路
１０    高温高圧冷媒流路
１１    接合部
１２    平面部
１３    吸湿領域
１４    放湿領域
１５    デシカントローター
１６    駆動手段
１０１  圧縮機
１０２  凝縮器
１０３  減圧機構
１０４  蒸発器
【図１】
0005422881.tif 000002
【図２】
0005422881.tif 000003
【図３】
0005422881.tif 000004
【図４】
0005422881.tif 000005
【図５】
0005422881.tif 000006
【図６】
0005422881.tif 000007
【図７】
0005422881.tif 000008
【図８】
0005422881.tif 000009
【図９】
0005422881.tif 000010
【図１０】
0005422881.tif 000011